(57)【要約】      （修正有）【課題】撮影画像と撮影場所の地図とを合成表示したインデックスプリントを提供する。【解決手段】撮影場所を示す位置情報が対応づけられている複数の撮影画像データを取得する手段と、取得された複数の撮影画像データに対応づけられている複数の位置情報が示す複数の地点を含んでいる地図画像データを取得する手段と、前記取得された複数の撮影画像データと前記取得された地図画像データとの合成画像データ（第１の合成画像データ）を作成する手段と、前記第１の合成画像データをユーザに提示し、前記第１の合成画像データに含まれている複数の撮影画像データの一部をユーザに選択させる手段と、前記選択された撮影画像データに対応づけられている位置情報が示す地点をすべて含んでいる地図画像データを取得する手段と、前記選択された撮影画像データと前記取得された地図画像データとの合成画像データ（第２の合成画像データ）を作成する手段とを備える。【選択図】図１
2008197739.tif 000002
【特許請求の範囲】
【請求項１】
撮影場所を示す位置情報が対応づけられている複数の撮影画像データを取得する手段（ａ）と、
前記手段（ａ）により取得された複数の撮影画像データに対応づけられている複数の位置情報が示す複数の地点を含んでいる地図画像データを取得する手段（ｂ）と、
前記手段（ａ）により取得された複数の撮影画像データと前記手段（ｂ）により取得された地図画像データとの合成画像データ（第１の合成画像データ）を作成する手段（ｃ）と、
前記第１の合成画像データをユーザに提示し、前記第１の合成画像データに含まれている複数の撮影画像データの一部をユーザに選択させる手段（ｄ）と、
前記手段（ｄ）により選択された撮影画像データに対応づけられている位置情報が示す地点をすべて含んでいる地図画像データを取得する手段（ｅ）と、
前記手段（ｄ）により選択された撮影画像データと前記手段（ｅ）により取得された地図画像データとの合成画像データ（第２の合成画像データ）を作成する手段（ｆ）とを備える、
ことを特徴とするインデックスプリント作成システム。
【請求項２】
撮影場所を示す位置情報が対応づけられている複数の撮影画像データを取得する手段（ａ）と、
前記手段（ａ）により取得された複数の撮影画像データに対応づけられている複数の位置情報が示す複数の地点を含んでいる地図画像データを取得する手段（ｂ）と、
前記手段（ａ）により取得された複数の撮影画像データと前記手段（ｂ）により取得された地図画像データとの合成画像データ（第１の合成画像データ）を作成する手段（ｃ）と、
前記第１の合成画像データをユーザに提示し、前記第１の合成画像データに含まれている地図画像データの一部の領域を選択させる手段（ｄ）と、
前記手段（ｄ）により選択された領域に位置情報が含まれている撮影画像データを前記複数の撮影画像データの中から抽出し、抽出した撮影画像データに対応づけられている位置情報が示す地点をすべて含んでいる地図画像データを取得する手段（ｅ）と、
前記手段（ｅ）により抽出された撮影画像データと前記手段（ｅ）により取得された地図画像データとの合成画像データ（第２の合成画像データ）を作成する手段（ｆ）とを備える、
ことを特徴とするインデックスプリント作成システム。
【請求項３】
請求項１または２において、
前記第２の合成画像データ、前記第２の合成画像データに含まれている各撮影画像データ、の順番に順序付けされたアルバムデータを作成する手段（ｇ）をさらに備える、
ことを特徴とするインデックスプリント作成システム。
【発明の詳細な説明】
【技術分野】
【０００１】
本発明は、複数の撮影画像が一覧表示されたインデックスプリントを作成する技術に関する。
【背景技術】
【０００２】
デジタルカメラやカメラ付き携帯電話等で撮影した画像の写真プリントサービスでは、プリント注文された画像を一覧表示したインデックスプリントを提供するサービスが行われている。このインデックスプリントは、プリント注文した画像を一見して確認できるため、再度プリント注文する場合や写真を整理する場合などに活用されている。
【特許文献１】特開2001-160058号公報
【特許文献２】特開2005-221809号公報
【発明の開示】
【発明が解決しようとする課題】
【０００３】
近年のデジタルカメラやカメラ付き携帯電話の中にはＧＰＳ機能が搭載されているものがあり、画像を撮影した場所を示す位置情報をその撮影画像の属性情報として記録することができる。このようなＧＰＳ機能搭載のデジタルカメラで撮影された画像の写真プリントの際に、撮影画像と撮影場所の地図とを合成表示したインデックスプリントを提供することが考えられている。しかしながら、表示する地図の倍率が低いと各画像の撮影場所が地図上で重なってしまい、撮影場所を特定できにくくなる。重なった撮影場所を１つのポイントで示すこともできるが、地図の倍率によっては大半の撮影場所が重なってしまうことも考えられる。反対に地図の倍率が高すぎると、撮影した場所の近辺しか表示されないため、どの辺りであるのかが分かりにくくなる。
【課題を解決するための手段】
【０００４】
本発明によるインデックスプリント作成システムは、撮影場所を示す位置情報が対応づけられている複数の撮影画像データを取得する手段（ａ）と、前記手段（ａ）により取得された複数の撮影画像データに対応づけられている複数の位置情報が示す複数の地点を含んでいる地図画像データを取得する手段（ｂ）と、前記手段（ａ）により取得された複数の撮影画像データと前記手段（ｂ）により取得された地図画像データとの合成画像データ（第１の合成画像データ）を作成する手段（ｃ）と、前記第１の合成画像データをユーザに提示し、前記第１の合成画像データに含まれている複数の撮影画像データの一部をユーザに選択させる手段（ｄ）と、前記手段（ｄ）により選択された撮影画像データに対応づけられている位置情報が示す地点をすべて含んでいる地図画像データを取得する手段（ｅ）と、前記手段（ｄ）により選択された撮影画像データと前記手段（ｅ）により取得された地図画像データとの合成画像データ（第２の合成画像データ）を作成する手段（ｆ）とを備える、ことを特徴とする。
【０００５】
本発明によるもう１つのインデックスプリント作成システムは、撮影場所を示す位置情報が対応づけられている複数の撮影画像データを取得する手段（ａ）と、前記手段（ａ）により取得された複数の撮影画像データに対応づけられている複数の位置情報が示す複数の地点を含んでいる地図画像データを取得する手段（ｂ）と、前記手段（ａ）により取得された複数の撮影画像データと前記手段（ｂ）により取得された地図画像データとの合成画像データ（第１の合成画像データ）を作成する手段（ｃ）と、前記第１の合成画像データをユーザに提示し、前記第１の合成画像データに含まれている地図画像データの一部の領域を選択させる手段（ｄ）と、前記手段（ｄ）により選択された領域に位置情報が含まれている撮影画像データを前記複数の撮影画像データの中から抽出し、抽出した撮影画像データに対応づけられている位置情報が示す地点をすべて含んでいる地図画像データを取得する手段（ｅ）と、前記手段（ｅ）により抽出された撮影画像データと前記手段（ｅ）により取得された地図画像データとの合成画像データ（第２の合成画像データ）を作成する手段（ｆ）とを備える、ことを特徴とする。
【０００６】
上記インデックスプリント作成システムにおいて、前記第２の合成画像データ、前記第２の合成画像データに含まれている各撮影画像データ、の順番に順序付けされたアルバムデータを作成する手段（ｇ）をさらに備える、ことが好ましい。
【発明の効果】
【０００７】
本発明によれば、写真プリント注文を希望するすべての撮影画像についてのインデックス画像（第１の合成画像データ）がまず提示され、ユーザは、このインデックス画像を参照して、インデックスプリントを希望する撮影画像を選択する、あるいは、インデックスプリントを希望する地図領域を選択することができるため、各撮影画像の撮影場所の偏りなどを考慮して、たとえば観光スポットごとにインデックスプリントを注文することができる。
【発明を実施するための最良の形態】
【０００８】
［ネットプリントシステム］
本発明の実施形態によるプリントシステムの全体構成を図１に示す。このシステムでは、インターネット上で簡単に写真プリント注文ができるネットプリントサービスがユーザに提供される。ネットプリントサービスサイト上で注文した写真のプリントは提携のプリント専門店において行われ、できあがった写真プリントは最寄りのプリント専門店やコンビニで受け取ったり、宅配便やメール便により自宅で受け取ることができる。
【０００９】
本システムでは、通常の写真プリントに加えて、プリント注文した画像が一覧表示されたインデックスプリントがユーザに提供される。本システムでは、特に、ＧＰＳ機能搭載カメラで撮影された画像については、撮影場所が表示された地図と撮影画像のサムネイル一覧とが合成表示されたインデックスプリントが提供される。以下では、ＧＰＳ機能搭載カメラで撮影された画像についてのインデックスプリント作成処理を中心にして本システムによるプリントサービスの流れを説明する。
【００１０】
［プリントサービス］
本システムによるプリントサービスの大まかな流れを図２に示す。以下、図２のフローチャートに沿って説明する。
【００１１】
［ＳＴ２１０］
ＧＰＳ機能搭載カメラで撮影した画像の写真プリント注文を希望するユーザは、パソコン（ＰＣ）によりネットプリントサービスサイトのサーバ１１０にアクセスし、プリント注文を希望する画像データを選択してアップロードする。ここでは図３に示すように、画像データ１〜１４がアップロードされたものとする。各画像データ１〜１４は、属性情報として、その画像を撮影した場所を示すＧＰＳ情報（緯度・経度情報）、その画像を撮影した日時を示す時刻情報を有している。ネットプリントサービスサイトのサーバ１１０は、アップロードされた画像データ１〜１４を１つのオーダー（ここでは「オーダーＡ」とする）として管理する。
【００１２】
［ＳＴ２２０］
ネットプリントサービスサイトのサーバ１１０は、オーダーＡの各画像データ１〜１４のＧＰＳ情報を参照し、これらＧＰＳ情報が示す地点をすべて含んだ適切な大きさの地図画像を地図データベース１２０から取得する。次にサーバ１１０は、取得した地図画像とオーダーＡの各画像データ１〜１４のサムネイルとが合成表示されたインデックス画像１４０を作成する。図３に示すように、このインデックス画像１４０では、中央に地図画像が配置され、地図画像の周辺に各画像データ１〜１４のサムネイルが配置される。各サムネイルには、対応する画像データのＩＤが表示される。各画像データ１〜１４の時刻情報に基づいて各サムネイルが時系列に配置される。地図画像中には、各画像データ１〜１４の撮影地点がＩＤと矢印により示される。このように作成されたインデックス画像１４０がユーザのパソコン画面に表示される。
【００１３】
［ＳＴ２３０］
ツアー旅行等たいていの旅行では、複数の観光地を順番に訪問し、各観光地で写真撮影を行うことが多い。このような旅行で撮影した写真のプリント注文に対するインデックス画像１４０は、図３に示したように、撮影ポイントが各観光地周辺に集中する場合が多くなる。図３のインデックス画像１４０では、和歌山県の名所である白浜周辺（画像１〜４）、潮岬周辺（画像５〜１１）、那智勝浦周辺（画像１２〜１４）に撮影ポイントが集中している例を示している。
【００１４】
撮影ポイントが集中している各観光地がそれぞれ離れており広範囲に及んでいる場合には、インデックス画像に表示される地図の倍率が低くなり、各画像の撮影場所が地図上で重なってしまい、撮影場所を特定できにくくなる。重なった撮影場所を１つのポイントで示すこともできるが、地図の倍率によっては大半の撮影場所が重なってしまうことも考えられる。
【００１５】
また、旅行で撮影した画像のプリント注文の場合、訪問した各観光地ごとにインデックス画像を希望するユーザも多いと考えられる。
【００１６】
さらに、ある旅行で撮影した画像と、これとは別の機会に撮影した画像とを一緒にプリント注文する場合もあり、この場合には、ほとんどのユーザが別々にインデックス画像を希望すると思われる。
【００１７】
このような背景により、本システムでは、写真プリント注文を希望するすべての画像についてのインデックスプリントと、所望の一部の画像についてのインデックスプリントをユーザが選択できるようになっている。たとえば、図３に示したインデックスプリントだけでなく、白浜周辺のインデックスプリント（画像１〜４のサムネイル、画像１〜４の撮影場所を含んだ白浜周辺の地図）、潮岬周辺のインデックスプリント（画像５〜１１のサムネイル、画像５〜１１の撮影場所を含んだ潮岬周辺の地図）、那智勝浦周辺のインデックスプリント（画像１２〜１４のサムネイル、画像１２〜１４の撮影場所を含んだ那智勝浦周辺の地図）などを選択することができる。なお、ユーザが選択を希望しない場合は、写真プリント注文を希望するすべての画像についてのインデックスプリント（図３）のみが作成されることになる。
【００１８】
［ＳＴ２４０］
ユーザは、パソコン画面に表示されるプリント注文画像全体についてのインデックス画像を参照して、インデックスプリントを希望するサムネイルを選択する、あるいは、インデックスプリントを希望する地図領域を選択することができる。ここでは、図４に示すように、プリント注文画像全体（画像１〜１４）についてのインデックス画像１４０を参照してサムネイル（１〜４）を選択するものとする。
【００１９】
［ＳＴ２５０］
ユーザの選択指示に応答してネットプリントサービスサイトのサーバ１１０は、選択された画像データ１〜４のＧＰＳ情報を参照し、これらＧＰＳ情報が示す地点をすべて含んだ適切な大きさの地図画像を地図データベース１２０から取得する。次にサーバ１１０は、図５に示すように、取得した地図画像と選択された各画像データ１〜４のサムネイルとが合成表示されたインデックス画像を作成する。このように作成されたインデックス画像がユーザのパソコン画面に表示される。
【００２０】
［ＳＴ２６０］
また、ユーザのパソコン画面には、このインデックスプリントを希望するか否かの確認が表示される。ユーザが希望を選択した場合、このインデックス画像と画像データ１〜４とが対応付けられてアルバムデータ１３０（図１参照）に登録される。
【００２１】
［ＳＴ２７０］
次に、ユーザのパソコン画面には、他のインデックスプリントを希望するか否かの確認が表示される。ユーザが希望を選択した場合、上記ＳＴ２４０〜ＳＴ２６０の処理が繰り返される。このとき、ユーザは、直前に作成されたインデックス画像（図５）から選択することもできる。たとえば、図６に示すように、画像データ１〜４のインデックス画像から選択することができる。ここでは図６に示す地図領域を選択したものとする。この場合には上記ＳＴ２４０〜ＳＴ２６０における処理は次のようになる。ユーザの選択指示に応答してネットプリントサービスサイトのサーバ１１０は、オーダーＡの画像データ１〜１４のＧＰＳ情報を参照し、選択された地図領域（図６）内で撮影された画像データ２〜４を抽出する。また、抽出した画像データ２〜４のＧＰＳ情報を参照し、これらＧＰＳ情報が示す地点をすべて含んだ適切な大きさの地図画像を地図データベース１２０から取得する。次にサーバ１１０は、図７に示すように、取得した地図画像と各画像データ２〜４のサムネイルとが合成表示されたインデックス画像を作成する。このように作成されたインデックス画像がユーザのパソコン画面に表示される。インデックス画像に表示される地図の範囲が狭い場合、どこの地図なのかが分からなくなる場合がある。そこで本システムでは、図７に示すように、地図データベース１２０から取得される地図画像に少なくとも１つのランドマークが含まれるようにしている。なお、図６のインデックス画像からサムネイル１の削除を選択できるようにして図７のインデックス画像を作成するようにしてもよい。
【００２２】
［ＳＴ２８０］
上記処理により作成されてアルバムデータ１３０に登録されたインデックス画像はユーザのパソコン画面上で確認することができる。確認後、ユーザが写真プリント注文を指示すると、アルバムデータ１３０に登録されているインデックス画像−画像データの組み合わせのデータ（図１のアルバムＡ）がネットプリントサービスサイトのサーバ１１０から写真プリント専門店のサーバ２１０に送信される。写真プリント専門店のサーバ２１０に送信されるデータは、インデックス１−画像１−画像２…−インデックス２−画像Ｊ−画像Ｋというように、（インデックス画像）−（そのインデックス画像に表示されている画像データ）の順番にプリント処理を行うように指定されている。この順序に従って写真処理装置２２０によりプリント処理が行われ、図１に示すように、インデックス１−画像１−画像２…−インデックス２−画像Ｊ−画像Ｋというように、（インデックスプリント）−（そのインデックスプリントに表示されているサムネイルの写真プリント）の順番に写真プリントができ上がる。
【００２３】
［その他の適用例］
なお、上記実施形態では、本発明をネットプリントサービスに適用した例を示したが、本発明はコンビニ等の店頭に設置されている店頭受付端末にも適用可能である。店頭受付端末には、プリント注文の受付処理から写真プリント処理までを行うタイプＡ、プリント注文の受付処理のみを行うタイプＢがある。タイプＡは、図１に示したシステムの構成要素を全て備えたものであり、タイプＢは、図１のユーザＰＣに相当するものである。
【産業上の利用可能性】
【００２４】
本発明は、ＧＰＳ機能搭載のデジタルカメラ等で撮影された画像の写真プリントの際に、撮影画像と撮影場所の地図とを合成表示したインデックスプリントを提供するサービスに適用すれば有用である。
【図面の簡単な説明】
【００２５】
【図１】本発明の実施形態によるプリントシステムの全体構成を示す図である。
【図２】図１に示したプリントシステムによって行われる処理の流れを示すフローチャートである。
【図３】インデックス画像の作成例を示す図である。
【図４】特定のサムネイルの選択例を示す図である。
【図５】選択されたサムネイルについてのインデックス画像例を示す図である。
【図６】地図上の特定領域の選択例を示す図である。
【図７】選択された領域についてのインデックス画像例を示す図である。
【符号の説明】
【００２６】
１１０  サーバ
１２０  地図データベース
１３０  アルバムデータ
１４０  インデックス画像
２１０  サーバ
２２０  写真処理装置
【図２】
2008197739.tif 000003
【図１】
2008197739.tif 000004
【図３】
2008197739.tif 000005
【図４】
2008197739.tif 000006
【図５】
2008197739.tif 000007
【図６】
2008197739.tif 000008
【図７】
2008197739.tif 000009